(57)【特許請求の範囲】
【請求項１】
凸条リブが水平方向に平行して複数条設けられたラス型枠を、該凸条リブの尖端側が外側に向けられた状態で枠組みし、
前記枠組みされた型枠内には、切り込み部を略垂直に立ち上げて形成した係止用折り曲げ片付き取付部材を、前記係止用折り曲げ片尖端側が外側に突出するよう前記ラス型枠内側面に添接固定し、
該ラス型枠内にはコンクリートを打設、固化してコンクリート構造物を形成してなり、
前記外側に向けられたラス型枠の凸条リブと凸条リブとの窪みには緑化植物の苗床となる固化性質を有する苗床用培土を取り付け、
ヤシがら繊維を含むマット本体に緑化植物の苗を育成して形成される育苗マットを前記突出する係止用折り曲げ片に突き刺し、貫通させると共に、前記係止用折り曲げ片を折り曲げて前記苗床用培土に添接させ、固着したことを特徴とする現場打コンクリート構造物面への緑化装置取付方法。
【請求項２】
凸条リブが水平方向に平行して複数条設けられたラス型枠を、該凸条リブの尖端側が外側に向けられた状態で枠組みし、
前記枠組みされた型枠内にはコンクリートを打設、固化してコンクリート構造物を形成してなり、
前記外側に向けられたラス型枠の凸条リブと凸条リブとの窪みには緑化植物の苗床となる固化性質を有する苗床用培土を取り付け、
次いで、外側へ突出する係止用折り曲げ片を備えた取付部材を前記ラス型枠に取り付け、
さらに、ヤシがら繊維を含むマット本体に緑化植物の苗を育成して形成される育苗マットを取り付けると共に、前記係止用折り曲げ片を折り曲げて前記育苗マットを苗床用培土に添接させると共に、固着したことを特徴とする現場打コンクリート構造物面への緑化装置取付方法。
【請求項３】
凸条リブが水平方向に平行して複数条設けられ、該凸条リブの尖端側が外側に向けられて枠組みされたラス型枠と、
切り込み部を略垂直に立ち上げて形成した係止用折り曲げ片の尖端を外側に突出させて、前記枠組みされたラス型枠の内側面に添接固定された係止用折り曲げ片付き取付部材と、
前記型枠内にコンクリートを打設、固化して形成されるコンクリート構造物と、
前記外側に向けられたラス型枠の凸条リブと凸条リブとの窪みに取り付けられる緑化植物の苗床となる固化性質を有する苗床用培土と、
前記係止用折り曲げ片が貫通し、かつ貫通した係止用折り曲げ片が折り曲げられて前記苗床用培土面に添接して、固着されるヤシがら繊維を含むマット本体に緑化植物の苗を育成して形成される育苗マットと、
を有することを特徴とする現場打ちコンクリート面の緑化装置。
【請求項４】
凸条リブが水平方向に平行して複数条設けられ、該凸条リブの尖端側が外側に向けられて枠組みされたラス型枠と、
前記枠組みされたラス型枠内にコンクリートを打設して形成されるコンクリート構造物と、
前記外側に向けられたラス型枠の凸条リブと凸条リブとの窪みに取り付けられる緑化植物の苗床となる固化性質を有する苗床用培土と、
前記ラス型枠外側面に取り付けられ、外側へ突出する係止用折り曲げ片を備えた取付部材と、
前記係止用折り曲げ片が折り曲げられて前記育苗マットを苗床用培土に添接させると共に、固着されるヤシがら繊維を含むマット本体に緑化植物の苗を育成して形成される育苗マットと、
を有することを特徴とする現場打ちコンクリート面の緑化装置。
【発明の詳細な説明】
【０００１】
【発明の属する技術分野】
本発明は、埋め殺しタイプのラス型枠を使用し、現場でコンクリートを打設してコンクリート構造物を形成する際、該現場打コンクリート構造物面へ緑化装置を取り付ける緑化装置取付方法及び現場打コンクリート構造物面へ取り付けられる緑化装置に関するものである。
【従来の技術】
従来、現場打コンクリート構造物の壁面や凹凸のある法面には、植生を施した植生マットを固定ピンや接着剤などで張付ける方法、あるいはコンクリート構造物面に植生用の空間を設け、その空間に花壇風の植生を施す方法などが提案されていた。
【発明が解決しようとする課題】
しかし上記従来の方法では、植物の生長や繁茂が不確実で灌水設備が必要であり、剪定・除草などのメンテナンスが必要となり、製造コストのみならず維持コストが嵩むといった問題があった。
【０００２】
特に、コンクリート構造物の垂直壁面や急斜面では、植生用培土の飛散・流出などでその維持が難しく、施工例が少ないのが現状である。
【０００３】
かくして本発明は、上記従来の課題に対処すべく創案されたものであり、コンクリート構造物の垂直壁面や急斜面であっても植物の生長や繁茂が確実になされ、また灌水設備、剪定・除草などのメンテナンスを必要とせず、よって製造コストのみならず維持コストをも安価にすることが出来、さらにはコンクリート構造物の垂直壁面や急斜面において植生用培土の飛散・流出などが起こらないためその維持、管理が容易となる現場打コンクリート面への緑化装置取付方法及び緑化装置を提供することを目的とするものである。
【課題を解決するための手段】
本発明は、
凸条リブが水平方向に平行して複数条設けられたラス型枠を、該凸条リブの尖端側が外側に向けられた状態で枠組みし、
前記枠組みされた型枠内には、切り込み部を略垂直に立ち上げて形成した係止用折り曲げ片付き取付部材を、前記係止用折り曲げ片尖端側が外側に突出するよう前記ラス型枠内側面に添接固定し、
該ラス型枠内にはコンクリートを打設、固化してコンクリート構造物を形成してなり、
前記外側に向けられたラス型枠の凸条リブと凸条リブとの窪みには緑化植物の苗床となる固化性質を有する苗床用培土を取り付け、
ヤシがら繊維を含むマット本体に緑化植物の苗を育成して形成される育苗マットを前記突出する係止用折り曲げ片に突き刺し、貫通させると共に、前記係止用折り曲げ片を折り曲げて前記苗床用培土に添接させ、固着したことを特徴とし、
または、
凸条リブが水平方向に平行して複数条設けられたラス型枠を、該凸条リブの尖端側が外側に向けられた状態で枠組みし、
前記枠組みされた型枠内にはコンクリートを打設、固化してコンクリート構造物を形成してなり、
前記外側に向けられたラス型枠の凸条リブと凸条リブとの窪みには緑化植物の苗床となる固化性質を有する苗床用培土を取り付け、
次いで、外側へ突出する係止用折り曲げ片を備えた取付部材を前記ラス型枠に取り付け、
さらに、ヤシがら繊維を含むマット本体に緑化植物の苗を育成して形成される育苗マットを取り付けると共に、前記係止用折り曲げ片を折り曲げて前記育苗マットを苗床用培土に添接させると共に、固着したことを特徴とし、
または、
凸条リブが水平方向に平行して複数条設けられ、該凸条リブの尖端側が外側に向けられて枠組みされたラス型枠と、
切り込み部を略垂直に立ち上げて形成した係止用折り曲げ片の尖端を外側に突出させて、前記枠組みされたラス型枠の内側面に添接固定された係止用折り曲げ片付き取付部材と、
前記型枠内にコンクリートを打設、固化して形成されるコンクリート構造物と、
前記外側に向けられたラス型枠の凸条リブと凸条リブとの窪みに取り付けられる緑化植物の苗床となる固化性質を有する苗床用培土と、
前記係止用折り曲げ片が貫通し、かつ貫通した係止用折り曲げ片が折り曲げられて前記苗床用培土面に添接して、固着されるヤシがら繊維を含むマット本体に緑化植物の苗を育成して形成される育苗マットと、
を有することを特徴とし、
または、
凸条リブが水平方向に平行して複数条設けられ、該凸条リブの尖端側が外側に向けられて枠組みされたラス型枠と、
前記枠組みされたラス型枠内にコンクリートを打設して形成されるコンクリート構造物と、
前記外側に向けられたラス型枠の凸条リブと凸条リブとの窪みに取り付けられる緑化植物の苗床となる固化性質を有する苗床用培土と、
前記ラス型枠外側面に取り付けられ、外側へ突出する係止用折り曲げ片を備えた取付部材と、
前記係止用折り曲げ片が折り曲げられて前記育苗マットを苗床用培土に添接させると共に、固着されるヤシがら繊維を含むマット本体に緑化植物の苗を育成して形成される育苗マットと、
を有することを特徴とするものである。
【発明の実施の形態】
以下本発明を図に示す実施例に基づいて説明する。
【０００４】
符号１はラス型枠を示し、該ラス型枠１には図から理解されるように、凸条リブ２が水平方向に所定の間隔をあけて各々平行にして複数条設けられている。
【０００５】
ここで、前記凸条リブ２は網目状のラス型枠１について凸条リブ２の長手方向（ここでは水平方向）への折曲強度を保持するために設けられている。
【０００６】
通常はこの凸条リブ２の尖端が後述するコンクリート打設側、すなわち躯体側に向けてラス型枠１が設置される（図４参照）。
【０００７】
しかして、本発明では、前記凸条リブ２の尖端が外側に向けられて設置されている（図５参照）。
【０００８】
ラス型枠１を使用しての型枠の枠組みは例えば図２，図３のようになされる。
【０００９】
まず、図２から理解されるように、ラス型枠１はその凸条リブ２を水平方向にして、かつ凸条リブ２の尖端を外側に向けて設置されている。
【００１０】
なお、後述する緑化装置が設けられない側の面については通常通り、凸条リブ２の尖端を躯体側に向けてラス型枠１を設置して構わない（図２の右斜面側設置箇所参照）。
【００１１】
所定の空間を設けて例えば両側に設置されたラス型枠１，１間には図２に示すように、間隔保持具３が設置され、前記の所定空間の保持がなされている。
【００１２】
次いで、前記のように枠組みされたラス型枠１の内側面には、複数本の長尺板状をなす取付部材４が間隔をあけて、かつ前記凸条リブ２の長手方向と直交するようにして添接、固定されている（図６参照）。
【００１３】
ここで、この取付部材４の長手方向には、所定間隔をおいて切り込み部が略垂直方向へ立ち上げられて形成された係止用折り曲げ片５が設けられており、この係止用折り曲げ片５の尖端側が外側に突出するようにして添接、固定される。
【００１４】
このように枠組みされたラス型枠１内にコンクリートが打設され、一定期間の養生後、固化してコンクリート構造物６が形成される。
【００１５】
しかして、ラス型枠１、間隔保持部具３及び取付部材４等は前記形成されたコンクリート構造物６に埋め殺し状態となる。
【００１６】
ここで、外側に向けられた前記凸条リブ２と凸条リブ２との窪み７には、緑化植物の苗床となる固化性質を有する苗床用培土８が取り付けられる（図７参照）。
【００１７】
苗床用培土８の取り付け方法については何ら限定はなく、塗布したり、吹き付けたりすることが考えられる。そして、塗布については人力でコテなどを使用して丁寧に行うことが望ましいが、施工規模によっては塗布機械を用いて吹き付けても構わない。
【００１８】
苗床用培土８の取り付け高さは凸条リブ２の高さと同様の高さとされ、もって、培土８の厚みを深くしたいときには、リブ高さの高い凸条リブ２を有するラス型枠１を使用することになる。
【００１９】
また、この苗床用培土７は迅速に固化する性質を有する固化培土であるため、飛散したり、流出したりすることがない。
【００２０】
ついで、ヤシがら繊維を含むマット本体９に緑化植物の苗１０を育成して形成される育苗マット１１を前記突出する係止用折り曲げ片５に突き刺し、この係止用折り曲げ片５を貫通させる。
【００２１】
さらに、前記係止用折り曲げ片５を折り曲げて前記苗床用培土に当該育苗マット１１を添接させて固着する（図８参照）。
【００２２】
ここで、緑化植物の苗１１としてはセダム類の苗であることが好ましい。
【００２３】
しかして、セダム（Ｓｅｄｕｍ）属は世界に３００種ほどあり、古くから花壇・鉢植え・ロックガーデンなどに広く用いられている。そして、日本ではメキシコマンネングサ・タイトゴメ・キリンソウなどの一部の種類が緑化材料として利用されている。
【００２４】
また、セダムは全般に耐乾性・耐寒性があり性質は極めて強健であり、繁殖力も旺盛で水分および肥料の要求量が少なくやせ地や薄層土壌でも粗放な管理で生育可能な植物と言われている。
【００２５】
このような特性をもつセダム類をマット状に仕立てたものは屋上や屋根、また道路の中央分離帯や壁面などのローメンテナンスが要求される特殊空間の緑化を可能にするカバープランツといえる。
さらに詳述すればセダム類は北半球の温帯から熱帯の広い範囲に４００種以上分布する小型の多肉植物で、ベンケイソウ科マンネングサ属の多年草の総称であり、古くから世界で園芸に広く利用されている。日本にもベンケイソウ、マンネングサ、ツメレンゲ、キリンソウなど２０種以上の自生種があるほどである。前述したように性質は極めて強健で、暑さ、寒さ、乾燥などのストレスに強く、しかもやせ地や薄層の土壌でも生育可能で、粗放管理にも良く耐えるため、屋上緑化に最も適した植物の１つなのである。
一般にセダム類に代表される多肉植物は他の緑化植物と異なり、１ｃｍ程度の土層厚でも充分生育し、草丈も６〜１０ｃｍと一定で、害虫に強いことから、その育成管理にあたり剪定、刈り込み、施肥などの管理作業が著しく少なく済むという利点がある。
【００２６】
また塩害等厳しい気候にも強く、−１５℃〜＋６０℃の気温にも対応できるため、壁面気温の変化に充分に対応でき、生育場所を問わないという利点がある。
【００２７】
さらに給水も６０〜８０日に一回でよいため、通常の降雨だけで充分であり、灌水設備などが不要なのである。
【００２８】
次に、他の実施例につき図９乃至図１２を参照して説明する。
【００２９】
この実施例では、型枠内側に取付部材４があらかじめ添設、固着されていない（図９参照）。
【００３０】
前記取付部材４は、窪み７に苗床用培土８が取り付けられた後（図１０参照）、係止用折り曲げ片５を外側に向けて苗床用培土８に添設されて、取り付けられる。
【００３１】
しかして、その取り付けは例えば前記間隔保持具３の露出された先端部にナット１２を螺合して行われる（図１１参照）。
【００３２】
そして、このように取り付けられた取付部材４の外側に突出する係止用折り曲げ片５に対し、ヤシがら繊維を含むマット本体９に緑化植物の苗１０を育成して形成される育苗マット１１を突き刺し、係止用折り曲げ片５を貫通させ、さらに、前記係止用折り曲げ片５を折り曲げて前記苗床用培土に当該育苗マット１１を添接させて固着するのである（図１２参照）。
【発明の効果】
かくして本発明は以上の構成よりなる。
【００３３】
そして、本発明による現場打コンクリート面への緑化装置取付方法及び緑化装置であれば、コンクリート構造物の垂直壁面や急斜面であっても植物の生長や繁茂が確実になされ、また灌水設備、剪定・除草などのメンテナンスを必要とせず、よって製造コストのみならず維持コストをも安価にすることが出来、さらにはコンクリート構造物の垂直壁面や急斜面において植生用培土の飛散・流出などが起こらないためその維持、管理が容易であるとの優れた効果を奏する。
【図面の簡単な説明】
【図１】本発明によるラス型枠の概略構成を説明する構成説明図である。
【図２】ラス型枠を枠組みした状態の構成を説明する構成説明図（その１）である。
【図３】ラス型枠を枠組みした状態の構成を説明する構成説明図（その２）である。
【図４】ラス型枠の凸条リブ先端側を形成すべきコンクリート構造物の内側に向けてセットした状態を説明する説明図である。
【図５】ラス型枠の凸条リブ先端側を形成すべきコンクリート構造物の外側に向けてセットした状態を説明する説明図である。
【図６】ラス型枠に取付部材をラス型枠の内側から添設して設置した状態の説明図である。
【図７】ラス型枠凸条リブ間に苗床用培土を取り付けた状態を説明する説明図である。
【図８】苗床用培土に当接させて育苗用マットを取り付けた状態を説明する説明図である。
【図９】ラス型枠の凸条リブ先端側を形成すべきコンクリート構造物の外側に向けてセットした他の実施例による取り付け状態を説明する説明図である。
【図１０】ラス型枠凸条リブ間に苗床用培土を取り付けた他の実施例による取り付け状態を説明する説明図である。
【図１１】取付部材をラス型枠の外側から設置した他の実施例による取り付け状態を説明する説明図である。
【図１２】苗床用培土に当接させて育苗用マットを取り付けた他の実施例による取り付け状態を説明する説明図である。
【図１３】本発明によって育苗用マットを取り付けた状態のコンクリート構造物を説明する説明図である。
【符号の説明】
１      ラス型枠
２      凸条リブ
３      間隔保持具
４      取付部材
５      係止用折り曲げ片
６      コンクリート構造物
７      窪み
８      苗床用培土
９      マット本体
１０    緑化植物の苗
１１    育苗マット
１２    ナット
【図１】
0003618729.tif 000002
【図２】
0003618729.tif 000003
【図３】
0003618729.tif 000004
【図４】
0003618729.tif 000005
【図５】
0003618729.tif 000006
【図６】
0003618729.tif 000007
【図７】
0003618729.tif 000008
【図８】
0003618729.tif 000009
【図９】
0003618729.tif 000010
【図１０】
0003618729.tif 000011
【図１１】
0003618729.tif 000012
【図１２】
0003618729.tif 000013
【図１３】
0003618729.tif 000014